(57)【特許請求の範囲】
【請求項１】
複数のノズルを有する連続インクジェット印刷ヘッドであって、該印刷ヘッドは：
印刷ヘッドの作動を制御するための集積回路を含み、かつ、第１のインクチャネルと該第１のインクチャネルと連通する第２のインクチャネルとを有するシリコン基板と；
シリコン基板を覆う絶縁体層あるいは層群であって、第２のインクチャネルに連通するノズルボアを有する絶縁体層あるいは層群と；
ノズルから吐出されるインクドロプレットの方向を制御するように各ノズルの開口部にインクドロプレットの吐出方向に対して非対称に配置されたヒーター要素と；を備え、
前記シリコン基板は各ノズルボアにおいて前記第１のインクチャネルと前記第２のインクチャネルとの間にインクフローをブロックするブロッキング構造を備え、
前記第１のインクチャネルと前記第２のインクチャネルとの間に、前記絶縁体層若しくは層群に対して直交する方向に延伸するアクセス開口を備え、
前記アクセス開口を通過したインクが前記絶縁体層若しくは層群に突き当たることにより前記ノズルボアに入る前に前記直交方向に対して直交する方向のフロー成分を得るように、前記ノズルボアは前記アクセス開口におけるインクフローの方向からずれた位置に配置しており、
インクは前記第１のインクチャネルから前記アクセス開口を通過して前記第２のインクチャネルに入り、次いで前記ノズルボアに入り、該ノズルボアから吐出される連続インクジェット印刷ヘッド。
【請求項２】
ノズルボアと第１のインクチャネルとアクセス開口と第２のインクチャネルとを有するノズルを複数備え、インクが前記第１のインクチャネルから前記アクセス開口を通過して前記第２のインクチャネルに入り、次いで前記ノズルボアに入り、該ノズルボアから吐出する連続インクジェット印刷ヘッドを作動する方法であって：
印刷ヘッドの作動を制御するために形成された集積回路群を有するシリコン基板に形成されたインクチャネルに加圧状態の液体インクを備える段階と；
シリコン基板を覆う絶縁体層あるいは層群に形成されたノズルボアへ向かうインクフローを形成する段階と；
インクが前記絶縁体層若しくは層群に突き当たってからノズルボアへ向かう構成により、ノズルボアに入る前に、インクフローに絶縁体層若しくは層群に直交する方向に対して直交する方向のフロー成分を付与する段階と；
インクドロプレットの方向を制御するために、各ノズルの開口部にインクドロプレットの吐出方向に対して非対称に配置したヒーター要素を通り過ぎる際に、インクを非対称に加熱する段階と；を備えた方法。
【請求項３】
ノズルボアと第１のインクチャネルとブロッキング構造とアクセス開口と第２のインクチャネルとを有するノズルを複数備え、インクが前記第１のインクチャネルから前記アクセス開口を通過して前記第２のインクチャネルに入り、次いで前記ノズルボアに入り、該ノズルボアから吐出する連続インクジェット印刷ヘッドを製造する方法であって：
印刷ヘッドの作動を制御するための集積回路を有するシリコン基板を準備する段階であって、シリコン基板はその上に絶縁体層あるいは層群を有し、絶縁体層あるいは層群はシリコン基板に形成された回路に電気的に接続された導体を含むものである段階と；
絶縁体層あるいは層群に、ノズルの開口部にインクドロプレットの吐出方向に対して非対称に配置したヒーター要素と、アクセス開口を通過したインクが前記絶縁体層若しくは層群に突き当たることにより前記ノズルボアに入る前に前記直交方向に対して直交する方向のフロー成分を得るように、前記アクセス開口におけるインクフローの方向からずれた位置に配置するノズルボアとを形成する段階と；
シリコン基板に、ボアと連通する第１のインクチャネルと該第１のインクチャネルと連通すると共に前記ノズルボアに連通する第２のインクチャネルとを形成すると共に、前記絶縁体層若しくは層群に対して直交する方向に延伸するアクセス開口が前記第１のインクチャネルと前記第２のインクチャネルとの間に形成されるように、前記第１のインクチャネルと前記第２のインクチャネルとの間にインクフローをブロックする前記ブロッキング構造を形成する段階と；を備えた方法。
【発明の詳細な説明】
【０００１】
【発明の属する技術分野】
本発明は、デジタル制御印刷装置の分野に関するものであり、特に、単一基板上に多重ノズルを集積し、熱加工手段によって印刷のために液体のドロップが選択される液体インク印刷ヘッドに関するものである。
【０００２】
【従来の技術及び発明が解決しようとする課題】
インクジェット印刷は、非衝撃、低ノイズ特性、及びシステムの単純さのために、デジタル制御電子印刷分野において傑出した競争者として認識されている。このため、インクジェットプリンタは、家庭（ホーム）での使用やオフィスでの使用等において商業的に成功を収めている。
【０００３】
インクジェット印刷機構は連続（ＣＩＪ）で又はドロップオンデマンド（ＤＯＤ）でのいずれかとし分類することができる。１９７０年にカイザー (Kyser) らに特許された米国特許第3,946,398号は、圧電性結晶に高電圧を印加し、それによって、結晶を曲げ、インク溜めに圧力を付与し、要求されたドロップを噴出するＤＯＤインクジェットプリンタを開示している。圧電性ＤＯＤプリンタは、ホーム用及びオフィス用の720dpi以上の画像（イメージ）解像度では商業的に成功を収めている。しかしながら、インクジェット印刷機構は通常、複雑な高電圧駆動回路とかさばった圧電性結晶アレイとが必要となり、それらは印刷ヘッドの長さと同様に、印刷ヘッドの単位長さ当たりのノズル数において不利である。
【０００４】
１９７９年のエンドー (Endo) らに特許付与された英国特許第2,007,162号には、ノズルの水性インクに熱接触するヒーターに電力パルスを付与する電熱ドロップオンデマンドインクジェットプリンタを開示している。少量のインクはすぐに蒸発し、インクドロップをヒーター基板のエッジに沿って小口径から射出させることになるバブルを形成する。この技術は、熱インクジェットあるいはバブルジェット（登録商標）として公知である。
【０００５】
熱インクジェットプリンタは通常、ヒーターが、バブルの迅速な形成の起因となる400℃近傍の温度までインクを加熱するのに十分なエネルギーパルスを生成する。この装置に必要な高温は特別なインクの使用を必要とし、駆動エレクトニクスを複雑にし、キャビテーション（cavitation）及びコゲーション（kogation）を介してヒーター要素の劣化を促進する。コゲーションとは、飛散物（debris）でヒータを覆うインク燃焼副産物の蓄積である。このような飛散物の塊はヒーターの熱効率を低下させ、それにより印刷（印字）ヘッドの運転寿命を短縮する。さらに、各ヒーターの高い活動電力消費は、製造コストの低下で高速でページワイド印刷ヘッドの製造を妨げる。
【０００６】
連続インクジェットプリンタそれ自体は少なくとも１９２９年まで遡る。その年にハンセル (Hansell)らに特許付与された米国特許第1,941,001号明細書を見られたい。
【０００７】
１９６８年３月にスィート (Sweet) らに特許付与された米国特許第3,373,437号明細書は、印刷されるインクドロップが選択的に荷電され、記録媒体へ偏向させる連続的なインクジェットノズルのアレイを開示している。この技術は、バイナリ偏向連続インクジェット印刷として公知であり、エルムジェット（Ｅｌｍｊｅｔ）及びサイテックス（Ｓｃｉｔｅｘ）を含む複数の製造者によって用いられている。
【０００８】
米国特許第3,416,153号明細書は、１９６８年１２月にハーツ (Herts) らに特許付与されたものである。この特許は、連続インクジェット印刷において可変光学密度の印刷（印字）スポットを実現する方法を開示している。荷電されたドロップストリーム（流れ）の静電気分散は、小口径を通って通過するドロプレット（小滴）の数を変調するように働く。この技術は、アイリス（Ｉｒｉｓ）製のインクジェットプリンタにおいて使用されている。
【０００９】
“METHOD AND APPARATUS FOR CONTROLLING THE ELECTRIC CHARGE ON DROPLETS AND INL JET RECORDER INCORPORATING THE SAME”の発明の名称の米国特許第4,346,387号明細書は、１９８２年１０月２４日ハーツに特許付与されたものである。この特許では、ドロプレット上の静電荷を制御するＣＩＪシステムを開示している。ドロプレットは、電界を有する静電荷電トンネル内に配置したドロップ形成点において、加圧された液体ストリームを分割（分断）することによって形成される。ドロップ形成は、所望された所定の電荷に対応する電界におけるある点で行われる。トンネルを荷電するのに加えて、偏向プレートはドロップを実際に偏向するのに用いられる。ハーツシステムでは、生成されたドロプレットが荷電され（電荷を与えられ）、次いで、のど空き（gutter）へあるいは印刷媒体上へ偏向されることが必要とされている。荷電及び偏向機構はかさばり、印刷ヘッド当たりのノズル数を厳しく制限する。
【００１０】
最近まで、従来の連続インクジェット技術は全て、様々な態様で、ドロップがストリームにおいて形成される点の近傍に配置した静電荷電トンネルを利用していた。トンネルでは、個々のドロップが選択的に荷電されてもよい。選択されたドロップは荷電され、大きなポテンシャル差を有する偏向プレートの存在によって、下流に偏向される。のど空き（“キャッチャー”とも称する）は通常、荷電ドロップを遮断し、非印字モードを確立するために用いられ、一方、非荷電ドロップは印字モードで記録媒体に自由に衝突し、こうして、インクストリーム（流れ）は“非印刷”モードと“印刷”モードとで偏向する。
【００１１】
最近、上述の静電気荷電トンネルを不要とする新規な連続インクジェットプリンタシステムが開発された。また、それは、(1)ドロプレット形成と(2)ドロプレット偏向の機能をよりよく結合するように働く。このシステムは、チョレック（Chwalek）らによって出願された“CONTINUOUS INK JET PRINTER WITH ASYMMETRIC HEATING DROP DEFLECTION”の発明の名称の米国特許出願第6,079,821号明細書において開示されている。この内容は本明細書の内容に組み込まれている。この特許では、連続インクジェットプリンタにおけるインク制御装置を開示している。装置は、インク送り出しチャネルと、該インク送り出しチャネルに連通する圧縮インク源と、インク送り出しチャネルに開口したボアを有するノズルとを備える。ここで、インクの連続ストリームはインク送り出しチャネルから流れ出る。ヒーターによりストリームに弱い熱パルスを周期的に印加すると、インクストリームは、印加熱パルスに同期してかつノズルから離間した位置に複数のドロプレットに分解される。ドロプレットは、（ノズルのボアにおける）ヒーターから増加した熱パルスによって偏向する。ヒーターは選択的に起動されたセクション、例えば、ノズルのボアの一部に関連するセクションを有する。特定のヒーターセクションの選択起動は、ストリームへの熱の非対称（異方的）印加と称せされるものを連続させるものである。この非対称に熱が印加されて、とりわけ“印刷”方向（記録媒体上へ）と“非印刷”方向（“キャッチャー”へ戻る方向）との間のインクドロップを偏向するように作用する方向を、セクションを交互にすることによって交互にすることができる。チョレックらの特許は、印刷ヘッド当たりのノズルの数、印刷ヘッド長、電力使用及び役に立つインクの特性に関する従来の問題を克服する方向に大きく改善された液体印刷システムを提供する。
【００１２】
非対称な熱の印加はストリームの偏向につながり、その大きさは、複数の要因、例えば、ノズルの幾何学的配置及び熱的特性、付加された熱の量、印加された圧力、及び、インクの物理的・化学的・熱的特性に依存する。溶剤（特にアルコール）インクは非常によい偏向パターンを有し、異方加熱がされた連続インクジェットプリンタにおいて高い画像品質をを実現するが、水性インクはさらに問題である。水性インクはあまり偏向しないが、その作動はしっかりしていない。デラメッター（Delametter）らに出願された欧州特許出願第1,110,732号公開公報において、連続インクジェット異方加熱印刷システム内においてインクドロプレット偏向の大きさを改善するために、インク送り出しチャネル内の幾何学的障害物によって、エンハンスされた面方向フロー特性を提供することによって、特に水性インクに対して、インクドロップ偏向を有する連続インクジェットプリンタが開示されている。
【００１３】
ここに記載される発明は、低コストメーカーに対して適した連続インクジェット印刷ヘッドを製造することによって、または、好適にはページワイドで作ることができる印刷ヘッドに対して、チョレックらやデラメッターらの仕事をもとにするものである。
【００１４】
本発明は、ページワイド印刷ヘッドとは考えられないインクジェット印刷ヘッドを用いたものであるが、改善されたインクジェット印刷システムに対して必要と広く認識され、例えば、コスト、サイズ、速度、品質、信頼性、小さなノズルオリフィスサイズ、小さなドロップサイズ、低電力使用、作動における構成の単純さ、耐久性、及び、製造能力に関して利点を備えるものである。この点では、ページワイド高分解能インクジェット印刷ヘッドを製造する能力について特に必要性がある。ここで使用するように、“ページワイド”の語は約4インチの最小長さの印刷ヘッドを称している。高解像度は、各インクカラーに対して、単位インチ当たり最小約300個のノズルから単位インチ当たり最大約2,400個のノズルのノズル密度を意味する。
【００１５】
印刷速度の増大に対してページワイド印刷ヘッドを十分活用するために、印刷ヘッドはかなりの数のノズルを含んでいる。例えば、従来の走査型印刷ヘッドは、一インクカラー当たり数100個のノズルを有するに過ぎなかった。写真の印刷に適した4インチページワイド印刷ヘッドは、数1000個ものノズルを有する。印刷ヘッドが１ページにわたってそれを機械的に動かす必要性のためにゆっくり走査される間、ページワイド印刷ヘッドは静止しており、紙が移動して印刷ヘッドを通り過ぎていく。画像は理論的には、一回のパス（通過）で印刷することができ、それにより、実質的に印刷速度を増大する。
【００１６】
ページワイドの高生産性のインクジェット印刷ヘッドの実現には２つの大きな困難がある。第１に、ノズルがセンター−センター間距離で10μｍから80μｍのオーダーで互いに隣接して配置しなければならない。第２には、ヒーターに電力を供給するドライバと各ノズルを制御するエレクトロニクスとを各ノズルに集積しなければならない。というのは、外部回路への数1000個のボンドあるいは他のタイプの接続部を作る試みは現在はまだ実現が困難だからである。
【００１７】
これらのチャレンジに対処する一方法は、ＶＬＳＩ技術を利用してシリコンウェハー上に印刷ヘッドを形成し、同じシリコン基板上のＣＭＯＳにノズルを集積することである。
【００１８】
シルバーブロック（Silverbrook）に特許付与された米国特許第5,880,759号明細書に提案されたカスタムプロセスは印刷ヘッドを形成するために開発されたが、コスト及び製造能力の観点から、従来のＶＬＳＩ設備でほぼ標準ＣＭＯＳプロセスを用いて回路を最初に形成し、次いで、ノズル及びインクチャネルの形成のために別のＭＥＭＳ設備でウェハーの後処理を行うのが好ましい。
【００１９】
【課題を解決するための手段】
本発明の目的は、よりカスタム処理を必要とする従来公知のインクジェット印刷ヘッドと比較して、低コストでかつ改良された製造能力で製造されるＣＩＪ印刷ヘッドを提供することである。
【００２０】
本発明の他の目的は、ヒーターの下で流体に横方向フロー（流れ）成分を付与するのに適した構造を特徴とするＣＩＪ印刷ヘッドであって、それによってジェットが同じ熱量に対してより大きく偏向されるＣＩＪ印刷ヘッドを提供することである。
【００２１】
本発明の第１の態様では、複数のノズルを有する連続インクジェット印刷ヘッドであって、該印刷ヘッドは：印刷ヘッドの作動を制御するための集積回路を含み、かつ、インクチャネルを有するシリコン基板と；基板を覆いかつインクチャネルに連通するノズルボアを有する絶縁体層あるいは層群と；を備え、シリコン基板が各ノズルボアにインクチャネルとノズルボアとの間にシリコン基板から成るブロッキング構造を含み、アクセス開口がインクチャネルとノズルボアとの間に形成されて、インクチャネルからのインクがブロッキング構造のまわりを流れることを可能にし、かつ、ノズルボアに入る液体インクに横方向フロー成分を付与するためにノズルからずれた位置でアクセス開口に入るようにされている。
【００２２】
本発明の第２の態様では、連続インクジェット印刷ヘッドを作動する方法であって：印刷ヘッドの作動を制御するために形成された集積回路群を有するシリコン基板に形成されたインクチャネルに加圧状態下の液体インクを備える段階と；シリコン基板を覆う絶縁体層あるいは層群に形成されたノズルボアにが流れ込むようにする段階と；インクドロプレットの方向を制御するために、ヒーター要素を回って流れるインクに非対称に加熱する段階と；シリコン基板に形成されかつノズルボアに位置合わせされたブロッキング構造近傍にインクフローを有することによって生成されるインクジェット若しくはストリームに横方向フロー成分を付与する段階と：を備えている。
【００２３】
本発明の第３の態様では、連続インクジェット印刷ヘッドを製造する方法であって：印刷ヘッドの作動を制御するための集積回路を有するシリコン基板を準備する段階であって、シリコン基板はその上に絶縁体層あるいは層群を有し、絶縁体層あるいは層群はシリコン基板に形成された回路に電気的に接続された導体を含むものである段階と；絶縁体層あるいは層群にボアを形成する段階と；シリコン基板にボアと連通するインクチャネルを形成する段階と；シリコン基板に形成されたインクチャネルから絶縁体層あるいは層群に形成されたボアへのインクの横方向のフローを制御するためにシリコン基板にブロッキング構造を形成する段階と；を備えている。
【００２４】
本発明のこれらの目的及び他の目的、特徴及び利点は、本発明の例示的に示して表した図面を参照すると、以下の詳細の説明のよって当業者には明らかである。
【００２５】
【発明の実施の形態】
本明細書は、本発明の主要部を特に指摘しかつ明白に主張するクレームを説明するが、添付図面を参考にした以下の詳細な説明から本発明をより深く理解されるはずである。
図１は、本発明により構成された印刷ヘッドの概略部分平面図であり；
図１Ａは、本発明によるＣＩＪ印刷ヘッド用の“ノッチ”型ヒーターを有するノズルの概略平面図であり；
図１Ｂは、本発明によるＣＩＪ印刷ヘッド用のスプリット型ヒーターを有するノズルの概略平面図であり；
図２は、図１ＡのＢ−Ｂ線に沿った“ノッチ”型ヒーターを有するノズルの断面図であり；
図３は、図１ＡのＡ−Ｂ線に沿った断面図であって、従来型ＣＭＯＳ製造段階の全ての終了直後のノズル領域を示す図であり；
図４は、ノズルの小アレイを有するインクジェットの概略平面図であって、隣接ノズル間のインクチャネルに備えたシリコンリブとシリコン基板タイプの横方向フローブロッキング構造とを示す図であり；；
図５は、横方向フローのためのシリコンブロッキング構造の画定後に図１Ａのノズル領域のＡ−Ａ線に沿った概略断面図であり；
図６は、シリコンブロッキング構造の頂部におけるシリコンを除去するために“足場”効果を用いた、横方向フローのためのシリコンブロックの画定後の、図１Ａのノズル領域のＢ−Ｂ線に沿った概略断面図であり；
図７は、頂部形成方法を用いた、横方向フローのために用いたシリコンブロックの画定後の、ノズル領域のＢ−Ｂ線に沿った概略断面図であり；
図８は、本発明に対応して形成されたノズルアレイ構造の概略斜視図であって、シリコンベースの横方向フローブロッキング構造を示した図であり；
図９は、連続インクジェット印刷ヘッド、ノズルアレイの例をインクジェット印刷ヘッドの下のプリンタ媒体（例えば、紙）ロールと共に示した概略斜視図であり；
図１０は、本発明によって形成され、インクが送られる支持基板上に備えたＣＭＯＳ／ＭＥＭＳ印刷ヘッドの斜視図である。
【００２６】
この説明は特に、本発明による装置の一部を形成し、あるいは、その装置と直接協働する要素を対象にする。特に示されていないかあるいは記載されていない要素は、当業者には周知の様々な態様をとってもよいことは理解されたい。
【００２７】
図９には、符号１０で連続インクジェットプリンタシステムを示している。印刷ヘッド１０ａは、そこからノズル２０のアレイが延伸しているが、ヒーター制御回路が組み込まれている（図示せず）。
【００２８】
ヒーター制御回路は画像メモリからデータを読み、ノズルアレイ２０のヒーターに時系列電気信号を送る。これらのパルスを適当な長さの時間の間、適当なノズルに印加され、それによって、画像メモリから送られたデータに指示された適当な位置において、連続インクジェットストリームから形成されたドロップが記録媒体１３上にスポットを形成する。加圧されたインクは、インク溜まり（図示せず）から基板１４において形成されたインク送り出しチャネルへ進み、ノズルアレイ２０を通って記録媒体１３あるいはのど空き１９のいずれか上に進む。インクのど空き１９は偏向されてないインクドロプレット１１を捕捉するように構成され、一方、偏向されたドロプレット１２が記録媒体に達するようになっている。図１３の連続インクジェットプリンタシステムの一般的な説明は、本発明のプリンタシステムについての一般的な記載として用いるためにも適している。
【００２９】
図１には、本発明によるインクジェット印刷ヘッドの平面図を示している。印刷ヘッドは、ライン状にあるいはジグザグに配置されたノズルアレイ１ａ−１ｄを備える。各ノズルは、それぞれ論理回路とヒーター駆動トランジスタ（図示せず）を含む論理ＡＮＤゲート２ａ〜２ｄによってアドレス指定される。各データ入力ライン３ａ〜３ｄについての各信号と、論理ゲートに接続される各イネーブルクロックライン５ａ〜５ｄとが共に論理１（ＯＮＥ）であるならば、論理回路は各ドライバトランジスタをオンにする。さらに、イネーブルクロックライン（５ａ−５ｄ）上の信号が、特別のノズル１ａ−１ｄにおけるヒーターを介して電流の継続時間を決定する。ヒータードライバトランジスタを駆動するデータを、データシフトレジスタ６に入力される処理された画像データから得てもよい。ラッチクロックに応答するラッチレジスタ７ａ−７ｄは、各シフトレジスタステージからのデータを受け、ドットがレシーバ（受像媒体）上に印刷されるか否かいずれかを表す各ラッチ状態信号（論理１あるいはゼロ（ＺＥＲＯ））を表すライン３ａ−３ｄ上の信号を提供する。第３のノズルでは、ラインＡ−ＡとＢ−Ｂとは、図１Ａ及び図１Ｂに示した断面の方向を画定するものである。
【００３０】
図１Ａ及び図１Ｂは、ＣＩＪ印刷ヘッドで用いられる２つのタイプのヒーター（“ノッチ型”あるいは“スプリット型”の各々）の詳細な平面図である。それらは、ジェットの非対称加熱を生成し、インクジェット偏向を引き起こす。非対称な熱付与は単に、スプリット型ヒーターの場合で独立にヒーターのどこかのセクションに電流を供給することを意味する。ノッチ型ヒーターに電流が付与されたノッチ型ヒーターの場合は本来的に、メニスカスの非対称加熱を含む。図１Ａに、ノッチ型ヒーターを有するインクジェット印刷ヘッドノズルの平面図を示す。ヒーターは、ノズルの出口近傍に形成する。ヒーター要素材料は、電気的な開通が可能な程度の十分な非常に小さな切り欠き型領域を除いては、実質的にノズルボアを囲む。図１を参照すると、各ヒーターの一の側は、通常＋５ボルトの電源に接続される共通バスラインに接続される。各ヒータの他の側は、30mAまでの電流をヒーターに送ることができるＭＯＳトランジスタドライバをその内側に備える論理ＡＮＤゲートに接続される。ＡＮＤゲートは２つの論理入力を有する。一の論理入力は、現在のライン時間の間あるいはのそれ以外の時間に特定ヒーターが起動されるか否かを示す各シフトレジスタ段階からの情報を得るラッチ７ａ−７ｄからのものである。他方の入力は、特定ヒーターに付与されるパルスの時間の長さ及びシーケンスを決定するイネーブルクロックである。通常、印刷ヘッドには２又は３以上のイネーブルクロックがあり、それによって、隣接ヒーターはわずかに異なる時間に起動して熱及び他のクロストーク効果を回避することができる。
【００３１】
図１Ｂでは、スプリット型ヒーターであって、出口開口近傍のノズルボアの回りの実質的に２つの半導体ヒーター要素を有するヒーターを備えたノズルを示している。独立した導体を、各半円の上部及び下部セグメントに備えている。この場合には、上部及び下部とは、同じ面における要素（部材）を意味することは理解されたい。これらの導体のそれぞれに関連した金属層に導体を電気的に接触するビアを備える。これらの金属層は、以下に記載するようにシリコン基板上に形成された駆動（ドライバ）回路に接続されている。
【００３２】
図２には、Ｂ−Ｂに沿った作動しているノズルの概略断面図を示す。上述のように、ノズルの下にはインクを供給するインクチャネルを有する。このインク供給は、約8.8μｍのボア直径に対して通常15psiから25psiの間の圧力下で行う。送りチャネルのインクは加圧された溜まり（図示せず）から放出され、圧力下でチャネルにインクを流す。インク圧調整器（図示せず）を使用して、定圧を確保している。ヒーターへの電流の流れ込みなしで、のど空きへ真っ直ぐに直接流れ込むジェットが形成する。印刷ヘッドの表面では、ボアより直径が数μｍ大きい各ノズルの回りに対称なメニスカスが形成する。ヒーターに電流パルスを印加すると、加熱側のメニスカスが引かれ、ジェットがヒーターから離間するように偏向する。形成するドロプレットは次いで、のど空きを迂回してレシーバに達する。ヒーターを通る電流をゼロに戻すと、メニスカスは再び対称となり、ジェット方向は直線である。装置（デバイス）は容易に逆に作動し、すなわち、偏向したドロプレットはのど空きへ向かい、偏向していないドロプレットを有するレシーバ上に印刷がされる。また、一の線上に全ノズルを有することは必要不可欠というわけではない。ジグザグのノズル配置を反映するジグザグエッジを有するものより、実質的に真っ直ぐのエッジののど空きを作ることがより容易である。
【００３３】
通常の作動では、ヒーターの抵抗は約400オームのオーダーで、電流は10ｍＡから20ｍＡであり、パルス継続時間は約2マイクロ秒であり、純水に対する偏向角は数度のオーダーであり、この点については、1998年12月28日に出願された“Continuous Ink Jet Print Head Power-Adjustable Segmented Heater”の発明の名称の米国特許第6,213,595号明細書、及び、“Continuous Ink Jet Print Head Having Multi-Segment Heaters”の発明の名称の米国特許第6,217,163号明細書を参照されたい。
【００３４】
周期的電流パルスの印加によって、印加パルスに応じて、ジェットを同時のドロプレットに分解することになる。これらのドロプレットは、印刷ヘッドの表面から約100μｍから200μｍ離れ、8.8μｍの直径で、約2マイクロ秒幅で、200kHzパルス率であり、これらは通常3pLから4pLのサイズである。
【００３５】
図３において示す線Ａ−Ｂに沿った断面図は、ノズルが後にアレイで形成される印刷ヘッドの形成の不完全な段階であって、ＣＭＯＳ回路が同じシリコン基板上に集積される段階を示している。
【００３６】
前述のように、ＣＭＯＳ回路はまずシリコンウェハー上に形成する。ＣＭＯＳプロセスは、6インチ直径ウェハー上にポリシリコンの２つのレベルと金属の３つのレベルとを組み込んだ標準0.5μｍ混合信号プロセスであってもよい。ウェハー厚は通常675μｍである。図３には、このプロセスは、ビアに内部接続するように示した３層の金属によって表している。また、ポリシリコンレベル２と金属レベル１へのＮ+拡散及び接触とを、シリコン基板における能動回路を示すために描いている。ＣＭＯＳトランジスタのゲートは、ポリシリコン層に形成してもよい。
【００３７】
金属層を電気的に絶縁する必要性のため、シリコンウェハー上の膜の全膜厚が約4.5μｍになるように、それらの金属層間に誘電体層を堆積する。
【００３８】
従来のＣＭＯＳ形成段階の結果として。厚さ約675μｍで直径6インチ直径のシリコン基板を得る。より大きめのあるいは小さめの直径のシリコンウェハーを同様に用いることができる。周知のように、これらのトランジスタを形成するためには、様々な材料に選択的に堆積する従来の方法を通して、シリコン基板には複数のトランジスタには、複数のトランジスタを形成する。一又は二以上のポリシリコン層と所望のパターンに対応してそこに形成された金属層とを有する酸化物／窒化物絶縁層を形成することになる一連の層がシリコン基板の上に支持される。必要に応じて様々な層の間にビアを備え、ボンドパッドを備えるために金属層にアクセス可能にするために表面に開口を予め備えてもよい。図３で示したように、酸化物／窒化物絶縁層は約4.5μｍ厚である。図３で示した構造は基本的には、図１で示した制御コンポーネントを備えるために、必要な内部接続、トランジスタ、及び、論理ゲートを備える。唯一個のボンドパッドを示しているが、マルチボンドパッドがノズルアレイに形成されることは理解されたい。データと、ラッチクロックと、イネーブルクロックと、印刷ヘッドに隣接して取り付けられた回路ボードからあるいは離れた位置から供給されたパワーとをそれぞれ接続するために、様々なボンドパッドを備えている。
【００３９】
ＣＩＪ印刷システムにおける上述のように、ジェット偏向は、軸方向の運動量より横方向の運動量を有するノズルのボアに入るインク部分を増加することによって大きくなるのが望ましい。ノズルボアに位置合わせされかつその直下の各ノズルアレイの構造体の中心にブロックを作り上げることによって軸方向運動量を有する流体のいくらかを塞ぐことによって、それを達成することができる。
【００４０】
本発明による横方向フロー構造の構築方法は、ＣＭＯＳ形成シーケンスの終わりにノズルの近傍にシリコンウェハーの断面を示す図３を参照して説明する。以下のパラグラフでは単一ノズルの形成に対して説明を行うが、プロセスがウェハーに沿って列に形成された一連のノズル群に同じく適用可能であることは理解されたい。
【００４１】
図５に示したノズルアレイを参照されたい。図５の実施形態では、ＭＯＳトランジスタのゲートを形成するのに用いられる同じシリコン層がヒーター膜として使用される。このノズルからのジェット偏向を大きくするために、約0.35μｍまで上述の誘電体膜を薄膜化するのが望ましい。図１１に示したように、約3.5μｍの誘電体膜を除去して、インクチャネルとノズルアレイの表面に形成した広めで深いノズル凹所との間のノズルボア領域を形成する。ノズル凹所を時限付きの段階におけるエッチバックを通して形成される。最終のボア膜厚をほぼ1μｍとする。
【００４２】
次いで、シリコンウェハーを675μｍの初期厚から約300μｍの厚さに薄くする。次いで、インクチャネルを開口するためのマスクをウェハーの裏面に付け、次いでシリコンをＳＴＳエッチシステムで、シリコンのおもて面までエッチングする。
用いたマスクは、インクチャネルのエッチング中に、ノズルアレイのノズル間のシリコンブリッジ若しくはリブの背後に残る。これらのブリッジは、シリコンウェハの裏からおもてまでずっと延びている。従って、ウェハのうら面に画定されパターニングされたインクチャネルはもはや、ノズル列の方向に平行に延びる長い矩形凹所ではなく、各々単一ノズルを提供する一連の小さめの矩形キャビティ群である。図４を参照されたい。パッケージングのときにアレイが捻り応力を受けると膜が壊れる印刷ヘッドを構造的に弱くする傾向があるダイの中央における長いキャビティに対して、これらのリブの使用によってシリコンの強度が改善される。また、長い印刷ヘッドに対して、低周波圧力波によるインクチャネル内の圧力変動はジェットジッタを生じうる。
【００４３】
ＣＩＪ印刷システムについて上述したように、ジェット偏向は、軸方向より横方向の運動量でノズルボアに入るインクの一部を増量することによってさらに増大することが望ましい。これは、ノズル開口あるいはボアの直下の各ノズルの中央部にブロックを構築することによって軸方向運動量を有する流体の一部をブロッキングすることによって実施することができる。
【００４４】
本発明に対応して、横方向フロー構造の構築方法を図５から図８を参照して述べる。
【００４５】
図５には、Ａ−Ａ線に沿って得た断面図は横方向フロッキング構造とシリコンリブとを示している。Ｂ−Ｂ線に沿った断面図を図６に示す。シリコンフロッキング構造を形成する第１の方法は、“足止めと呼ばれるＳＴＳ”エッチシステムの現象に依存している。また、シリコンエッチングはシリコン／二酸化シリコン界面に達するときに、酸化物の帯電及び横方向に反応性シリコンエッチングイオンを入射する際の偏向のために、高速横方向エッチングが生ずる。この高速横方向エッチは約5μｍ延びる。次いで、ウェハーを従来のプラズマエッチチャンバに載置し、ボアの中央のシリコンを約5μｍ下方に異方的にエッチングされる。図５及び図６は出来上がった構造の断面図を示している。図５では、平行線模様を入れた領域は、シリコンが除去されて、シリコン基板に形成された第１のインクチャネルとノズルボアとの間のアクセス開口を備えた部分を示している。
【００４６】
第２の方法は“足場”効果に依存しないものである。その代わり、ボアにおけるシリコンをウェハーのおもて面から約5μｍ異方的にエッチングする。次いで、異方的エッチングによって、シリコンを横方向に除去すると共に、図７に断面で示したシリコンを垂直に除去し、インクチャネルとボアとの間の流体接触を容易にする。このアプローチでは、ブロッキング構造は、シリコンの平行線模様を入れた領域を除去する、頂部からエッチバックする形成法を反映して短い。
【００４７】
図６及び図７に概略的に示したように、ボアへ流れ込むインクは、ドロップレットの偏向を向上するために所望された横方向運動量成分によって支配される。上述のエッチング過程では、ウェハーのうら面におけるインクチャネル開口のウェハーのおもて面におけるノズルアレイへのの位置合わせは、カール・ズース（Karl Suss）アライナーのようなアライナーシステムを用いて行ってもよい。
【００４８】
図８は、ノズルボアの下のブロッキング構造を示すために酸化物／窒化物層を部分的に除去して示したシリコンベースのブロッキング構造を有するノズルアレイの斜視図である。ノズルボアは、アクセス開口によってブロッキング構造の頂部から離間している。図６及び図７に示したように、シリコン基板に形成したブロッキング構造は、インクキャビティで加圧状態であるインクをブロッキング構造に当たるように流して横方向成分を大きくする。これらの横方向成分は、非対称加熱の付与によって一様でなくなり、図６及び図７で示したように、ストリーム偏向を生じることとなる。
【００４９】
図１０により、製造されたＣＭＯＳ／ＭＥＭＳ印刷ヘッド１２０は、支持マウントに形成された長軸方向に延びたチャネルの端部までインクを供給するためのマウントの隣接端部に結合した一対のインク供給ライン１３０Ｌ、１３０Ｒを有する支持マウント１１０上に取り付けられている。チャネルは、印刷ヘッド１２０のうしろに対面し、印刷ヘッド１２０のシリコン基板に形成されたインクチャネルのアレイに連通する。セラミック基板であり得る支持マウントは、プリンタシステムにこの構造を取り付けるために端部に取付け穴を含む。
【図面の簡単な説明】
【図１】   本発明により構成された印刷ヘッドの概略部分平面図である。
【図１Ａ】  本発明によるＣＩＪ印刷ヘッド用の“ノッチ”型ヒーターを有するノズルの概略平面図である。
【図１Ｂ】  本発明によるＣＩＪ印刷ヘッド用のスプリット型ヒーターを有するノズルの概略平面図である。
【図２】   図１ＡのＢ−Ｂ線に沿った“ノッチ”型ヒーターを有するノズルの断面図である。
【図３】   図１ＡのＡ−Ｂ線に沿った断面図であって、従来型ＣＭＯＳ製造段階の全ての終了直後のノズル領域を示す図である。
【図４】   ノズルの小アレイを有するインクジェットの概略平面図であって、隣接ノズル間のインクチャネルに備えたシリコンリブとシリコン基板タイプの横方向フローブロッキング構造とを示す図である。
【図５】   横方向フローのためのシリコンブロッキング構造の画定後に図１Ａのノズル領域のＡ−Ａ線に沿った概略断面図である。
【図６】   シリコンブロッキング構造の頂部におけるシリコンを除去するために“足場”効果を用いた、横方向フローのためのシリコンブロックの画定後の、図１Ａのノズル領域のＢ−Ｂ線に沿った概略断面図である。
【図７】   頂部形成方法を用いた、横方向フローのために用いたシリコンブロックの画定後の、ノズル領域のＢ−Ｂ線に沿った概略断面図である。
【図８】   本発明に対応して形成されたノズルアレイ構造の概略斜視図であって、シリコンベースの横方向フローブロッキング構造を示した図である。
【図９】   連続インクジェット印刷ヘッド、ノズルアレイの例をインクジェット印刷ヘッドの下のプリンタ媒体（例えば、紙）ロールと共に示した概略斜視図である。
【図１０】   本発明によって形成され、インクが送られる支持基板上に備えたＣＭＯＳ／ＭＥＭＳ印刷ヘッドの斜視図である。
【符号の説明】
１０  連続インクジェットプリンタシステム
１０ａ  印刷ヘッド
１１  インクドロプレット
１２  ドロプレット
１４  基板
１９  のど空き
２０  アレイ
１２０  印刷ヘッド
【図１】
0004142286.tif 000002
【図１Ａ】
0004142286.tif 000003
【図１Ｂ】
0004142286.tif 000004
【図２】
0004142286.tif 000005
【図３】
0004142286.tif 000006
【図４】
0004142286.tif 000007
【図５】
0004142286.tif 000008
【図６】
0004142286.tif 000009
【図７】
0004142286.tif 000010
【図８】
0004142286.tif 000011
【図９】
0004142286.tif 000012
【図１０】
0004142286.tif 000013